(57)【要約】【課題】操作者が自身の操作による照明制御が確実に実行されていることを認識することを可能とする照明制御装置を提供する。【解決手段】照明制御装置（１）は、ユーザ操作入力を受け付ける入力部（２１）及び表示出力を行う出力部（２２）を有するＧＵＩ部（２）と、照明制御データを照明装置ユニット（１５）に送信する送信部（４１）及び照明装置ユニットからの応答信号を受信する受信部（４２）を有する通信部（４）と、ユーザ操作入力に基づいて照明制御データを生成する制御データ生成部（３１）、照明制御データが通信部に入力された第１の時点で出力部の表示出力を第１の表示から第２の表示に変化させる制御見込決定部（３２）及び受信部によって受信された応答信号が所定の決定条件を満たした第２の時点で出力部の表示出力を第２の表示に維持し、又は第２の表示から第３の表示に変化させる制御応答決定部（３３）を有する処理部（３）を備える。【選択図】  図１
2016154065.tif 000002
【特許請求の範囲】
【請求項１】
照明制御装置であって、
ユーザ操作入力を受け付ける入力部及び表示出力を行う出力部を有するＧＵＩ部と、
照明制御データを照明装置ユニットに送信する送信部及び前記照明装置ユニットからの応答信号を受信する受信部を有する通信部と、
前記ユーザ操作入力に基づいて前記照明制御データを生成する制御データ生成部、前記照明制御データが前記通信部に入力された第１の時点で前記出力部の表示出力を第１の表示から第２の表示に変化させる制御見込決定部、及び前記受信部によって受信された前記応答信号が所定の決定条件を満たした第２の時点で前記第２の表示を維持し、又は前記出力部の表示出力を前記第２の表示から第３の表示に変化させる制御応答決定部を有する処理部と
を備えた照明制御装置。
【請求項２】
請求項１に記載の照明制御装置において、前記出力部が視覚的な表示部からなり、前記第２の表示における表示色が、前記第１の表示における表示色と異なり、前記第３の表示における表示色と同一である、照明制御装置。
【請求項３】
請求項１に記載の照明制御装置において、前記出力部が視覚的な表示部からなり、前記第２の表示における表示色が、前記第１及び前記第３の表示におけるいずれの表示色とも異なる、照明制御装置。
【請求項４】
請求項１から３のいずれか一項に記載の照明制御装置において、前記出力部が視覚的な表示部からなり、前記第１及び第３の表示が連続表示であり、前記第２の表示が点滅表示である、照明制御装置。
【請求項５】
請求項１から４のいずれか一項に記載の照明制御装置において、前記処理部が、前記第２の表示の継続時間が所定値を超えても前記所定の決定条件が満たされない場合に、前記出力部の表示出力を前記第２の表示から、前記第１の表示に戻し、又は前記第１及び第３の表示のいずれとも異なる第４の表示に変化させる異常判定部を有する照明制御装置。
【請求項６】
請求項５に記載の照明制御装置において、前記出力部が視覚的な表示部からなり、前記第４の表示における表示色が前記第１の表示における表示色と同色である、照明制御装置。
【請求項７】
請求項５に記載の照明制御装置において、前記出力部が視覚的な表示部からなり、前記第４の表示における表示色が前記第１乃至第３の表示におけるいずれの表示色とも異なる、照明制御装置。
【請求項８】
請求項５から７のいずれか一項に記載の照明制御装置において、前記出力部が視覚的な表示部からなり、前記第４の表示が点滅表示である、照明制御装置。
【請求項９】
請求項１から８のいずれか一項に記載の照明制御装置において、前記所定の決定条件が、前記照明装置ユニットを構成するｎ台の照明装置のうちの任意のｘ台（１≦ｘ≦ｎ）の照明装置からの応答信号が前記制御応答決定部に入力されたことである、照明制御装置。
【請求項１０】
請求項１から８のいずれか一項に記載の照明制御装置において、前記所定の決定条件が、前記照明装置ユニットを構成するｎ台の照明装置のうちの特定のｙ台（１≦ｙ＜ｎ）の照明装置のうちの任意のｚ台（１≦ｚ≦ｙ）の照明装置からの応答信号が前記制御応答決定部に入力されたことである、照明制御装置。
【請求項１１】
請求項１から１０のいずれか一項に記載の照明制御装置と、
前記照明制御装置に通信接続される前記照明装置ユニットと
を備え、前記照明装置ユニットを構成する照明装置の全部又は一部が、前記照明制御データの受信に応じて前記応答信号を送信するように構成された通信部を有する、照明制御システム。
【発明の詳細な説明】
【技術分野】
【０００１】
本発明は、照明制御装置及びそれを用いた照明制御システムに関する。
【背景技術】
【０００２】
特許文献１は、コントローラによって制御される照明器具の実際の動作状態をモニタできる照明制御システムを開示する。コントローラは、宛先アドレスと調光率指示情報と返信命令とを含むシリアル信号を各照明器具に送信する。制御ユニットは、宛先アドレスと自己の保有するアドレスとを比較し、一致しなければ動作せず、アドレスが一致した場合には、ＰＷＭ信号線に重畳される照明器具の発振信号を検出する。制御ユニットは、検出した発振から調光率を得るテーブルを保有しており、このテーブルから実際の調光率を生成する。制御ユニットは、返信命令に応じて、生成した調光率をシリアル信号としてコントローラに返信する。これにより、コントローラは、指示した調光率に対する実際の動作中の調光率を知ることができる。
【先行技術文献】
【特許文献】
【０００３】
【特許文献１】特開２００８−２９３７２０号公報
【発明の概要】
【発明が解決しようとする課題】
【０００４】
ところで、通信線を介して制御が行われる照明制御システムにおいて、操作入力後の制御の応答がシステム内のデータ処理又は信号処理に起因して遅くなる場合、操作者は自身の制御が実行されているか否かを即時に把握することができない。そのため、操作者は、不安感を覚え、何度も同じ操作を行ってしまう場合がある。これにより、同じ制御及び通信が反復実行され、操作側と照明装置側との間の通信トラフィックが増加してしまうという問題がある。この問題は、複数の照明装置が一斉に制御される体育館、野球場等の照明制御システムにおいて一層顕著となる。
【０００５】
そこで、本発明は、操作者が自身の操作による照明制御が確実に実行されていることを識別することを可能とすることにより操作者の反復操作による通信トラフィックの増加を防止する照明制御装置及びそれを用いた照明制御システムを提供することを課題とする。
【課題を解決するための手段】
【０００６】
本発明の照明制御装置は、ユーザ操作入力を受け付ける入力部及び表示出力を行う出力部を有するＧＵＩ部と、照明制御データを照明装置ユニットに送信する送信部及び照明装置ユニットからの応答信号を受信する受信部を有する通信部と、ユーザ操作入力に基づいて照明制御データを生成する制御データ生成部、照明制御データが通信部に入力された第１の時点で出力部の表示出力を第１の表示から第２の表示に変化させる制御見込決定部、及び受信部によって受信された応答信号が所定の決定条件を満たした第２の時点で出力部の表示出力を第２の表示に維持し、又は第２の表示から第３の表示に変化させる制御応答決定部を有する処理部とを備える。
【０００７】
本発明の照明制御装置によると、制御データ生成部がユーザ操作入力に基づいて照明制御データを生成し、制御見込決定部が、照明制御データが通信部に入力された第１の時点で出力部の表示出力を第１の表示から第２の表示に変化させ、制御応答決定部が、受信部によって受信された応答信号が決定条件を満たした第２の時点で出力部の表示出力を第２の表示に維持し、又は第２の表示から第３の表示に変化させる。このように、制御見込を示す第２の表示によって、操作者が自身の操作による照明制御が進行中であることを識別することが可能となり、操作者が同じ操作を反復実行してしまうことが防止される。したがって、不要な反復操作に起因する通信トラフィックの増加を防止することが可能となる。
【０００８】
一形態では、出力部が視覚的な表示部からなり、第２の表示における表示色が、第１の表示における表示色と異なり、第３の表示における表示色と同一である。これにより、操作者は、第２の表示によって自己の操作が受け入れられて各照明装置への通信制御が進行中であることを迅速かつ容易に認識することが可能となる。
【０００９】
他の形態では、出力部が視覚的な表示部からなり、第２の表示における表示色が、第１の表示及び第３の表示におけるいずれの表示色とも異なる。これにより、第２の表示の識別性が高まる。
【００１０】
また、他の形態では、出力部が視覚的な表示部からなり、第１及び第３の表示が連続表示であり、第２の表示が点滅表示である。これにより、第２の表示の高い識別性が得られる。
【００１１】
また、上記照明制御装置において、処理部が、第２の表示の継続時間が所定値を超えても応答信号が所定の決定条件を満たさない場合に、出力部の表示出力を第２の表示から、第１の表示及び第３の表示のいずれとも異なる第４の表示に変化させる異常判定部を有するようにしてもよい。この第４の表示によって、操作者は、照明制御装置と照明装置ユニットとの間の通信又は照明装置ユニット自体の異常を認識することができる。また、第４の表示の前に制御見込を示す第２の表示が継続するので、操作者が制御入力操作を行ってから異常を認識するまでに反復的に制御入力操作を行ってしまうことが防止される。したがって、不要な反復操作に起因する通信トラフィックの増加を防止することが可能となる。
【００１２】
一形態では、出力部が視覚的な表示部からなり、第４の表示における表示色が第１の表示における表示色と同色である。これにより、操作者は、自己の制御が行われずに制御が操作入力前の状態に戻ったことを容易に把握することができる。
【００１３】
他の形態では、出力部が視覚的な表示部からなり、第４の表示における表示色が第１乃至第３の表示におけるいずれの表示色とも異なる。これにより、第４の表示の高い識別性が得られる。
【００１４】
また、他の形態では、出力部が視覚的な表示部からなり、前記第４の表示が点滅表示である。これにより、第４の表示の高い識別性が得られる。
【００１５】
また、上記所定の決定条件は、照明装置ユニットを構成するｎ台の照明装置のうちの任意のｘ台（１≦ｘ≦ｎ）の照明装置からの応答信号が制御応答決定部に入力されたこととすることができる。例えば、ｘ＝ｎとした場合、全数の照明装置に対して制御が行き渡ったことが操作者に認識され、ユーザの安心感が高まる。あるいは、ｘ＝１とした場合、いずれかの照明装置からの応答信号が最初に得られた時点によって第２の時点が決定されるので、操作者は、差し当たり通信に問題がないことを知ることができ、制御応答確認の迅速性が得られる。また、ｘを１とｎの間の値とすることにより、上記のｘ＝ｎの場合の効果とｘ＝１の場合の効果とのバランスを採ることができる。
【００１６】
また、上記所定の決定条件は、照明装置ユニットを構成するｎ台の照明装置のうちの特定のｙ台（１≦ｙ＜ｎ）の照明装置のうちの任意のｚ台（１≦ｚ≦ｙ）の照明装置からの応答信号が制御応答決定部に入力されたこととしてもよい。これにより、特定のｙ台に指定されていない照明装置が応答信号を照明制御装置に送信しないように設定されることができるので、制御時の通信トラフィックの軽減が可能となる。
【００１７】
本発明の照明制御システムは、上記いずれかの照明制御装置と、照明制御装置に通信接続される照明装置ユニットとを備え、照明装置ユニットを構成する照明装置の全部又は一部が、照明制御データの受信に応じて応答信号を送信するように構成された通信部を有する。これにより、上記の各効果を有する照明制御システムが実現される。
【図面の簡単な説明】
【００１８】
【図１】本発明の実施形態による照明制御装置及び照明制御システムを示すブロック図である。
【図２】実施形態におけるＧＵＩ部の出力態様の一例を示す図である。
【図３】実施形態における第１、第２及び第３の表示の一例を説明する図である。
【図４】実施形態における第１、第２及び第３の表示の他の例を説明する図である。
【図５Ａ】実施形態における第１、第２及び第３の表示の他の例を説明する図である。
【図５Ｂ】実施形態における第１、第２及び第３の表示の一例を説明する図である。
【図６Ａ】実施形態における第１、第２及び第４の表示の一例を説明する図である。
【図６Ｂ】実施形態における第１、第２及び第４の表示の他の例を説明する図である。
【図７】実施形態における第１、第２及び第４の表示の他の例を説明する図である。
【図８Ａ】実施形態における第１、第２及び第４の表示の他の例を説明する図である。
【図８Ｂ】実施形態における第１、第２及び第４の表示の他の例を説明する図である。
【図９】実施形態による照明制御装置の動作を示すフローチャートである。
【発明を実施するための形態】
【００１９】
図１に、本発明の実施形態による照明制御装置１及び照明制御システム１０のブロック図を示す。照明制御システム１０は照明制御装置１及びこれによって制御される照明装置ユニット１５を含み、照明装置ユニット１５は照明装置５−１〜５−ｎを含む。なお、以降の説明において、照明装置５−１〜５−ｎについて、これらを総称して又はこれらの一部を代表して照明装置５というものとする。照明制御装置１と各照明装置５とは通信ラインＬを介して接続される。通信ラインＬは有線であっても無線であってもよい。なお、各照明装置５の主電源は不図示の電力配線により適宜供給されているものとする。照明制御システム１０は、例えば、体育館、野球場等のスタジアム、テニスコート、グランド、公園等に設置されるような、複数の照明装置が一斉に制御されるような照明制御システムである。
【００２０】
照明制御装置１は、ＧＵＩ（グラフィック・ユーザ・インターフェイス）部２、処理部３及び通信部４を備える。ＧＵＩ部２、処理部３及び通信部４とは相互にデータ又は信号を伝達可能な態様で接続される。
【００２１】
ＧＵＩ部２は、入力部２１及び出力部２２を備える。入力部２１は、操作者（以下、「ユーザ」ともいう）の操作入力を受け付ける入力インターフェイスであり、例えば、タッチパネルディスプレイ、リモコンスイッチ、壁スイッチ等であればよい。出力部２２は、ユーザに表示出力を行う出力インターフェイスであり、例えば、上記タッチパネルの表示部、パソコンのモニタ、ＬＥＤを用いた発光部等であればよい。そして、ＧＵＩ部２は、例えば図２に示すように、入力部２１であるスイッチ及び出力部２２であるモニタが一体化された構成であってもよい。なお、本実施形態における表示出力は視覚的なものであるが、本明細書全体において、「表示」とは、視覚的なものに限られず聴覚的なものも含む概念である。出力部２２の具体的な表示内容については後述する。
【００２２】
処理部３は、制御データ生成部３１、制御見込決定部３２、制御応答決定部３３、異常判定部３４及び記憶部３５を備え、これらはバスＢによってデータ又は信号を相互に伝送可能な態様で接続される。制御データ生成部３１、制御見込決定部３２、制御応答決定部３３及び異常判定部３４は、ＣＰＵの一部であればよい。記憶部３５は、プログラム、データ等を格納することができるメモリである。
【００２３】
制御データ生成部３１は、入力部２１で入力されたユーザ操作入力に基づいて照明制御データを生成する。照明制御データは、少なくとも、各照明装置５の識別情報及び点灯状態の情報を含む。制御データ生成部３１は、このような照明制御データを、後述する通信部４による通信方式に準拠したフォーマット（フレーム）のデータとして生成する。なお、本実施形態では、各照明装置５の点灯状態の情報は、点灯又は消灯のいずれかを示す情報であるものとする。制御見込決定部３２、制御応答決定部３３及び異常判定部３４については後述する。
【００２４】
通信部４は、送信部４１及び受信部４２を備える。送信部４１は、制御データ生成部３１によって生成された照明制御データを、通信ラインＬを介して照明装置ユニット１５（照明装置５）に送信するように構成される。受信部４２は、照明装置ユニット１５からの応答信号を受信し、その応答信号を処理部３に転送するように構成される。
【００２５】
各照明装置５は、通信部６、点灯回路７及び光源８を備える。通信部６は、例えば、通信ラインＬ上の照明制御データのうち、自己のアドレスに対応するデータを取り込むように構成することができる。通信ラインＬが有線通信ラインである場合、通信プロトコルとして、例えば、ＴＣＰ／ＩＰ、ＲＳ４８５等を用いることができる。また、通信ラインＬが無線通信ラインである場合、通信プロトコルとして、例えば、ＷｉＦｉ、ＺｉｇＢｅｅ等を用いることができる。ただし、通信プロトコルはこれらに限られない。また、通信部６は、通信ラインＬから照明制御データを取り込んだ場合、適用されている通信プロトコルに準拠する応答信号を照明制御装置１に返す。
【００２６】
点灯回路７は、通信部６によって取り込まれた照明制御データに従って商用交流電源を光源８用の電流に変換する。光源８は、ＬＥＤ、放電灯（高圧放電灯、水銀灯、蛍光灯等）等であればよい。したがって、点灯回路７は、光源８がＬＥＤである場合には商用交流電源を直流電流に変換してそれを光源８に供給し、光源８が放電灯である場合には商用交流電源を適切な周波数及び波形の交流電流に変換して光源８に供給する。
【００２７】
処理部３の制御見込決定部３２、制御応答決定部３３及び異常判定部３４について説明する。制御見込決定部３２は、照明制御データが通信部４に受け付けられた時点（以下、「通信受付時ｔ１」という）で、出力部２２によるユーザ出力を、それまでの第１の表示から第２の表示に変化させる。通信受付時ｔ１は、制御データ生成部３１が照明制御データを通信部４に転送した時点として決定されればよい。あるいは、通信部４の不図示の制御手段が照明制御データを受け付けたことを示す信号を処理部３に返信し、制御見込決定部３２が当該信号を受け付けた時点が通信受付時ｔ１として決定されてもよい。
【００２８】
制御応答決定部３３は、照明装置５から通信部４（受信部４２）を経由して入力される応答信号が所定の決定条件を満たした時点（以下、「通信成立時ｔ２」という）で、出力部２２によるユーザ出力を、それまでの第２の表示に維持し、又は第２の表示から第３の表示に変化させる。照明装置５の数ｎが２≦ｎの場合、通信成立時ｔ２の決定条件として、以下のような種々の態様が可能である。
【００２９】
例えば、通信成立時ｔ２は、照明装置５−１〜５−ｎのうちの任意のｘ台（１≦ｘ≦ｎ）の照明装置５からの応答信号が制御応答決定部３３に入力されたことによって決定されるようにしてもよい。例えば、ｘ＝ｎに設定されていてもよく、すなわち、全数の照明装置５から応答信号が得られた時点によって通信成立時ｔ２が決定されるようにしてもよい。この設定の場合、照明装置５の全数に対して制御が行き渡ったことがユーザに認識され、ユーザの安心感が高まる。あるいは、ｘ＝１に設定されていてもよく、すなわち、いずれかの照明装置５からの応答信号が最初に得られた時点によって通信成立時ｔ２が決定されるようにしてもよい。この場合、ユーザは、差し当たり通信ラインＬに問題がないことを知ることができ、制御応答確認の迅速性が得られる。なお、ｘは（３≦ｎの場合）、２≦ｘ≦ｎ−１のいずれかの値であってもよい。これにより、上記のｘ＝ｎの場合の効果とｘ＝１の場合の効果のバランスを採ることができる。
【００３０】
別法として、通信成立時ｔ２は、照明装置５−１〜５−ｎのうちの特定の指定されたｙ台（１≦ｙ＜ｎ）の照明装置５からの応答信号が制御応答決定部３３に入力されたことによって決定されるようにしてもよい。この場合、特定のｙ台に指定されていない照明装置５は、応答信号を照明制御装置１に送信しないように設定されることができる。これにより、制御時の通信ラインＬ上のトラフィックを軽減することができる。この場合も、上記任意のｘ台に関して説明したように、特定のｙ台のうちの任意のｚ台（１≦ｚ≦ｙ）の照明装置５からの応答信号が制御応答決定部３３に入力されたことによって通信成立時ｔ２が決定されるようにすることができる。
【００３１】
異常判定部３４は、第２の表示の継続時間が所定値を超えても照明装置ユニット１５からの応答信号が所定の決定条件を満たさない場合、すなわち通信成立時ｔ２が決定されないタイムアウト時に、出力部２２の表示出力を第２の表示から第４の表示に変化させる。なお、第４の表示は第１及び第３の表示とは異なる。これにより、ユーザは、通信ラインＬ又は照明装置ユニット１５における異常を認識することができる。なお、送信部４１からの照明制御データの送信がリトライされる場合、このリトライ期間も含めてタイムアウトが判定されるようにすればよい。
【００３２】
以下に、ＧＵＩ部２の出力部２２が視覚的な表示部からなる場合の第１乃至第４の表示について説明する。第１乃至第４の表示は、図２に示すモニタ上の所定の表示領域２２ａの表示色によって表される。なお、図２に示すように、第１乃至第４の表示の意味する内容が他の表示領域２２ｂに文字表示されてもよい。第１乃至第４の表示については種々のバリエーションが可能である。以下に、照明装置ユニット１５を消灯状態から点灯状態にする際の出力部２２（表示領域２２ａ）における代表的な表示態様を例示する。また、必要に応じて、第１の表示に対応する期間（通信受付時ｔ１前の期間）を制御前期間といい、第２の表示に対応する期間（通信受付時ｔ１以後で通信成立時ｔ２前の期間）を制御見込期間といい、第３の表示に対応する期間（通信成立時ｔ２以降の期間）を通信後期間というものとする。また、第４の表示に対応する期間を異常報知期間というものとする。
【００３３】
・制御見込期間の表示（第２の表示）について
図３に、制御見込期間の表示色が通信後期間における表示色と同色の場合の表示領域２２ａの表示パターンの例を示す。図３に示す例では、制御前期間においては緑色表示が行われ、制御見込期間においては赤色表示が行われ、通信後期間に赤色表示が維持される。ユーザは、表示領域２２ａの赤色表示によって自己の操作が受け入れられて各照明装置５への通信制御が進行中であることを迅速かつ容易に認識することができる。
【００３４】
また、図４に、制御見込期間の表示色が制御前期間及び通信後期間における表示色と異なる場合の表示領域２２ａの表示パターンを示す。図４に示す例では、制御前期間においては緑色表示が行われ、制御見込期間においては緑色及び赤色以外の表示色による表示が行われ、通信後期間に赤色表示が行われる。これにより、第２の表示の識別性を高めることができる。
【００３５】
図５Ａ及び図５Ｂに、制御見込期間の表示が点滅表示となる場合の表示領域２２ａの表示パターンの例を示す。図５Ａに示す例では、制御前期間においては緑色連続表示が行われ、制御見込期間においては赤色点滅表示（本例では、赤色と白色による反復表示）が行われ、通信後期間に赤色連続表示が行われる。この制御見込期間の点滅は、例えば、１〜１０Ｈｚ程度、より好ましくは２〜５Ｈｚ程度であればよい。ユーザは、表示領域２２ａの点滅によって自己の操作が受け入れられて各照明装置５への通信制御が進行中であることを認識することができる。すなわち、第２の表示の高い識別性が得られる。点滅表示は、他の表示色の組合せによって行われてもよい。また、図５Ｂに示すように、通信後期間の開始時に、制御見込期間における点滅の１回の表示期間よりも長い時間の追加出力期間が設けられてもよい。これにより、ユーザは、制御見込期間の終了、すなわち通信の成立をより明確に認識することができる。
【００３６】
なお、上記の図３、図４、図５Ａ及び図５Ｂに示した表示領域２２ａの表示態様は相互に適宜組合せることができる。例えば、図４に示す態様と図５Ａ又は図５Ｂに示す態様を組み合わせて、制御見込期間（第２の表示）における表示が、通信後期間（第３の表示）とは異なる表示色で点滅表示されるようにしてもよい。表示態様の可能な組合せはこれらに限られず、多数存在することは明らかである。
【００３７】
・異常報知期間の表示（第４の表示）について
一例として、図６Ａ及び図６Ｂに示すように、異常報知期間における表示領域２２ａの表示色は、制御前期間（第１の表示）における表示色と同じであればよい。これにより、ユーザは、自己の制御が行われずに制御前期間の状態に戻ったことを容易に把握することができる。なお、図６Ａは、図３及び図４に示したような制御見込期間（第２の表示）が連続表示の場合に対応し、図６Ｂは、図５Ａ及び図５Ｂに示したような制御見込期間（第２の表示）が点滅表示の場合に対応する。
【００３８】
また、図７に示すように、異常報知期間における表示領域２２ａの表示色は、制御前期間（第１の表示）、制御見込期間（第２の表示）及び通信後期間（第３の表示）におけるいずれの表示色とも異なるものであってもよい。これにより、第４の表示の識別性が高まる。なお、図７は、図３に示したような表示パターンに適用可能である。
【００３９】
また、図８Ａに示すように、異常報知期間における表示領域２２ａの表示が点滅表示となるようにしてもよい。これにより、第４の表示の高い識別性が得られる。また、図８Ｂに示すように、制御見込期間における表示が点滅表示である場合には、制御見込期間と異常報知期間との区別のために、異常報知期間における点滅周期が制御見込期間における点滅周期よりも長くなるように設定されることが好ましい。異常報知期間における表示の点滅の周波数は、例えば、０．２〜２Ｈｚ、より好ましくは０．５〜１Ｈｚ程度であればよい。
【００４０】
上述した制御見込期間における各表示態様と異常報知期間における各表示態様とは適宜の組合せにより採用されることができる。例えば、制御前期間、制御見込期間、通信後期間及び異常報知期間における表示（第１乃至第４の表示）が、複数の表示色による連続出力の組合せによって示されるようにしてもよい。また、上記第１乃至第４の表示が、単色の表示色による連続表示、相対的に短周期の点滅表示、及び相対的に長周期の点滅表示の組合せによって示されるようにしてもよい。あるいは、制御前期間、制御見込期間及び通信後期間といった正常な状態に関連する表示（第１乃至第３の表示）が第１の表示色による連続表示と点滅表示の組合せによって示されるとともに、異常報知期間における異常の表示（第４の表示）が第２の表示色による連続表示又は点滅表示で示されるようにしてもよい。あるいは、制御前期間、制御見込期間及び通信後期間といった正常な状態に関連する表示（第１乃至第３の表示）が複数の表示色による連続出力の組合せによって示され、異常報知期間における異常の表示（第４の表示）が所定表示色の点滅表示によって示されるようにしてもよい。
【００４１】
図９は、実施形態の動作を示すフローチャートである。なお、ステップＳ５の開始時点において、ＧＵＩ部２の出力部２２は第１の表示を行っているものとする。
【００４２】
まず、ステップＳ５において、ＧＵＩ部２の入力部２１がユーザ操作入力を受け付ける。
ステップＳ１０において、処理部３の制御データ生成部３１が、ユーザ操作入力に基づいて照明制御データを生成する。
ステップＳ１５において、制御データ生成部３１が照明制御データを通信部４の送信部４１に転送する。
ステップＳ２０（通信受付時ｔ１）において、制御見込決定部３２が出力部２２の表示出力を第１の表示から第２の表示に変化させる。
【００４３】
ステップＳ２５において、送信部４１が照明制御データを各照明装置５の通信部６に通信ラインＬを介して送信する。
ステップＳ３０において、異常判定部３４がタイマＴを起動し、第２の表示の継続時間の計時を開始する。ステップＳ３０は、ステップＳ１５からステップＳ２５のいずれかの時点で行われてもよい。
【００４４】
ステップＳ３５において、照明装置ユニット１５からの応答信号がある場合には（ステップＳ３５、Ｙｅｓ）、ステップＳ３６において受信部４２が応答信号を受信し、処理はステップＳ４０に進む。一方、応答信号がない場合には（ステップＳ３５、Ｎｏ）、処理はステップＳ５０に進む。
【００４５】
ステップＳ４０において、制御応答決定部３３が、照明装置ユニット１５から受信部４２を介して受信された応答信号が通信成立時ｔ２の決定条件を満たすか否かを判別する。決定条件が満たされたか否かの判別は、上述したように、任意のｘ台（１≦ｘ≦ｎ）の照明装置５からの応答信号に基づいて行われてもよいし、特定のｙ台（１≦ｙ＜ｎ）の照明装置５からの応答信号に基づいて行われてもよい。応答信号が決定条件を満たしたと判別された場合（ステップＳ４０、Ｙｅｓ）、処理はステップＳ４５に進む。一方、応答信号が決定条件を満たしていないと判別された場合（ステップＳ４０、Ｎｏ）、処理はステップＳ５０に進む。
【００４６】
ステップＳ４５（通信成立時ｔ２）において、制御応答決定部３３が出力部２２の表示出力を第２の表示に維持することを決定し、又は第２の表示から第３の表示に変化させる。
【００４７】
ステップＳ５０ではタイマＴが減分され、ステップＳ５１においてタイマＴがＴ＝０となったか否か（すなわち、タイムアウトか否か）が判断される。タイムアウトでない場合（ステップＳ５１、Ｎｏ）、処理はステップＳ３５に戻り、タイムアウトの場合（ステップＳ５１、Ｙｅｓ）、処理はステップＳ５５に進む。
【００４８】
ステップＳ５５において、異常判定部３４が出力部２２の表示出力を第２の表示から第４の表示に変化させる。
【００４９】
なお、各照明装置５においては、ステップＳ２５の照明制御データの送信に応じて、各照明装置５の通信部６が照明制御装置１からの照明制御データを受信する。そして、全部又は指定された照明装置５の通信部６が、応答信号を照明制御装置１の通信部４に返し、これにより、上記のステップＳ３６がもたらされる。また、各照明装置５では、照明制御データに従って点灯回路７が光源８を点灯させる。
【００５０】
以上のように、照明制御装置１によると、制御データ生成部３１がユーザ操作入力に基づいて照明制御データを生成し、制御見込決定部３２が通信受付時ｔ１にＧＵＩ部２の出力部２２の表示出力を第１の表示から第２の表示に変化させ、制御応答決定部３３が通信成立時ｔ２に表示出力を第２の表示に維持し、又は第２の表示から第３の表示に変化させる。このように、制御見込を示す第２の表示によって、操作者が自身の操作による照明制御が確実に実行されていることを識別することが可能となり、操作者が同じ操作を反復実行してしまうことが防止される。したがって、不要な反復操作に起因する通信トラフィックの増加を防止することができる。この構成は、複数の照明装置５が一斉に制御されるような照明制御システム１０において特に有用である。
【００５１】
また、異常判定部３４は、第２の表示の継続時間が所定値を超えても応答信号が通信成立時ｔ２の決定条件を満たさない場合に、表示出力を第２の表示から第４の表示に変化させる。この異常を示す第４の表示によって、ユーザは、通信ラインＬ又は照明装置ユニット１５の異常を認識することができる。また、第４の表示の前に制御見込を示す第２の表示が継続されるので、ユーザが制御入力操作を行ってから上記異常を認識するまでに反復的に制御入力操作を行ってしまうことが防止される。したがって、不要な反復操作に起因する通信トラフィックの増加が防止される。
【００５２】
＜変形例＞
上記において本発明の好適な実施形態を示したが、本発明は上記構成に限られず、種々の変形が可能である。
【００５３】
（１）ＧＵＩ部２（出力部２２）の変形
上記実施形態では、出力部２２による表示出力がタッチパネルのモニタ上で行われる構成を例示したが、同様の表示態様がＬＥＤ発光部等の発光手段によっても実現できる。すなわち、上記実施形態で示した表示色が発光色として再現されればよい。なお、モニタ表示の白色又は黒色表示はＬＥＤ発光の消灯に対応する。出力部２２がＬＥＤ発光部である場合には、制御見込期間の発光輝度が制御前期間及び通信後期間の発光輝度と異なる態様も可能である。この場合、ユーザは、出力部２２の発光輝度の変化によって自己の操作が受け入れられて各照明装置５への通信制御が進行中であることを認識することができる。また、第２の表示を輝度の変化（点滅を含む）により行う場合、第２の表示を第１又は第３の表示と同色とすることができ、第２の表示のために表示色を増加させる必要がなく、出力部２２の単色表示によりその簡素化が可能となる。
【００５４】
また、出力部２２による表示出力において、応答信号受信の進行状況を表す表示が行われてもよい。例えば、通信成立時ｔ２の決定に関する決定条件に規定された応答信号数（上述したｘ、ｙ又はｚ）に対する受信済み応答信号数の割合が、数字、グラフ等によってリアルタイムで表示されるようにしてもよい。また、受信済み応答信号数が数字によってリアルタイムに表示されるようにしてもよい。
【００５５】
また、上記実施形態では、出力部２２による表示出力が視覚的な表示によって行われる例を示したが、スピーカ等による音声によって行われてもよい。例えば、制御前期間（第１の表示）及び通信後期間（第３の表示）が無音状態とされ、制御見込期間（第２の表示）及び異常報知期間（第４の表示）が連続音、相対的に短周期の発振音、及び相対的に長周期の発振音のいずれか２つの組合せによって構成されてもよい。また、制御見込期間（第２の表示）が発振音であり、通信後期間（第３の表示）が無音である場合に、通信後期間の開始時に所定長の連続音が出力され、その後に無音状態とされるようにしてもよい（図５Ｂの追加出力期間参照）。また、上記のような音声による聴覚的表示が、実施形態において説明した視覚的表示に組み合わされてもよい。    
【００５６】
（２）制御内容の変形
上記実施形態では、ユーザ操作による照明制御が照明装置５の消灯→点灯を指示する場合を示したが、ユーザ操作による照明制御が照明装置５の点灯→消灯を指示する場合にも本発明は適用可能である。この場合、上記の制御前期間を第３の表示に対応させ、通信後期間を第１の表示に対応させるようにすればよい。
【００５７】
また、ユーザ操作による制御が照明装置５の調光率の変更を指示する場合にも本発明は適用可能である。例えば、図３、図４、図５Ａ又は図５Ｂに示す出力部２２の表示パターンにおいて、制御前期間（第１の表示）及び通信後期間（第３の表示）が同じ表示とされ、制御見込期間（第２の表示）の表示が第１及び第３の表示と異なるようにすればよい。また、この場合、異常報知期間（第４の表示）については、図７、図８Ａ又は図８Ｂに示したような表示の適用が可能である。
【００５８】
また、上記実施形態では、１台の照明制御装置１によって複数台（ｎ台）の照明装置５が一斉に制御される一対多構成の照明制御システム１０を示したが、１台の照明制御装置１から１台の照明装置が制御される一対一構成のシステムにも本発明は適用可能である。特に、複数の一対一構成のシステムが同じ通信ラインを共有する場合に、本発明による通信トラフィック軽減の効果が享受され得る。
【符号の説明】
【００５９】
１  照明制御装置
２  ＧＵＩ部
３  処理部
４  通信部
５、５−１〜５−ｎ  照明装置
６  通信部
７  点灯回路
８  光源
１０  照明制御システム
１５  照明装置ユニット
２１  入力部
２２  出力部
２２ａ、２２ｂ  表示領域
３１  制御データ生成部
３２  制御見込決定部
３３  制御応答決定部
３４  異常判定部
３５  記憶部
４１  送信部
４２  受信部
Ｂ  バス
Ｌ  通信ライン
【図１】
2016154065.tif 000003
【図２】
2016154065.tif 000004
【図３】
2016154065.tif 000005
【図４】
2016154065.tif 000006
【図５Ａ】
2016154065.tif 000007
【図５Ｂ】
2016154065.tif 000008
【図６Ａ】
2016154065.tif 000009
【図６Ｂ】
2016154065.tif 000010
【図７】
2016154065.tif 000011
【図８Ａ】
2016154065.tif 000012
【図８Ｂ】
2016154065.tif 000013
【図９】
2016154065.tif 000014